(57)【要約】【課題】腕帯部に上腕が正しい姿勢で挿入されると血圧測定動作を開始し精度の高い血圧測定ができる腕挿入型血圧計を実現する。【解決手段】上腕を挿入するための腕帯部２が設けられた筺体と、血圧測定可能な状態まで腕帯部に空気を導入して加圧する加圧手段２１と、加圧手段により腕帯部の内圧を制御した状態で血管情報を検出する検出手段２４と、検出手段により検出された血管情報から血圧値を決定する決定手段７１と、決定手段により決定された血圧値を表示する表示手段４３と、筐体に設けられた、血圧測定者が上腕を腕帯部に挿入したときに肘より先を置くための肘置きと、血圧測定時に血圧測定者の肘が前記肘置き上に置かれたことを検出する肘検出部７ｅと、肘検出部の検出結果を判定する判定手段７１と、制御部７１と、を備え、判定手段により血圧測定者の肘が前記肘置き上の適切な位置にあると判定されると、制御部により測定動作を開始させる。【選択図】図３
0003147041.tif 000002
【実用新案登録請求の範囲】
【請求項１】
上腕を挿入するための腕帯部が設けられた筺体と、
血圧測定可能な状態まで前記腕帯部に空気を導入して加圧する加圧手段と、
前記加圧手段により前記腕帯部の内圧を制御した状態で血管情報を検出する検出手段と、
前記検出手段により検出された血管情報から血圧値を決定する決定手段と、
前記決定手段により決定された血圧値を表示する表示手段と、
前記筐体に設けられた、血圧測定者が上腕を前記腕帯部に挿入したときに肘より先を置くための肘置きと、
血圧測定時に血圧測定者の肘が前記肘置き上に置かれたことを検出する肘検出部と、
前記肘検出部の検出結果を判定する判定手段と、制御部と、を備え、
前記判定手段により血圧測定者の肘が前記肘置き上の適切な位置にあると判定されると、前記制御部により測定動作を開始させることを特徴とする腕挿入型血圧計。
【請求項２】
前記肘検出部は腕の肘以外の部位が接触困難な位置にあることを特徴とする、請求項１に記載の血圧計。
【請求項３】
前記肘検出部は荷重検出装置であることを特徴とする、請求項１に記載の血圧計。
【請求項４】
前記肘検出部は皮膚の接触を検出するタッチセンサであることを特徴とする、請求項１に記載の血圧計。
【請求項５】
前記肘検出部は体温を検出する温度センサであることを特徴とする、請求項１に記載の血圧計。
【請求項６】
前記肘検出部は赤外線センサにより構成されることを特徴とする、請求項１に記載の血圧計。
【考案の詳細な説明】
【技術分野】
【０００１】
本考案は、腕帯部が筺体に内蔵された腕挿入型血圧計に関する。
【背景技術】
【０００２】
従来、病院などに据え付けられた血圧計は、被測定者の一方（例えば、利き腕ではない方）の上腕を腕帯で囲まれた開口部に挿入し、他方の手で測定開始スイッチなどの操作部を操作して血圧を測定する。しかし、上記他方の腕が不自由であると、操作が極めて困難となる。
【０００３】
ここで、腕帯部が筺体に内蔵された腕挿入型の血圧計において、リモコンユニットを血圧計本体部に着脱可能として有線通信または無線通信により遠隔操作可能に構成したものがある（例えば、特許文献１参照）。
【特許文献１】特開２００５−３３４０４９号公報
【考案の開示】
【考案が解決しようとする課題】
【０００４】
上記特許文献１では、被測定者の一方の上腕を腕帯で囲まれた開口部に正しい姿勢で挿入したことを確認してから、他方の手で測定開始スイッチなどの操作部を操作して血圧を測定する必要がある。ここで、上腕を挿入した姿勢が悪いと、測定開始後エラーとなって上腕を入れ直したり、正確な測定結果が得られないといった不都合がある。
【０００５】
本考案は、上記課題に鑑みてなされ、その目的は、腕帯部に上腕が正しく挿入されると血圧測定を開始し精度の高い血圧測定ができる腕挿入型血圧計を実現することである。
【課題を解決するための手段】
【０００６】
上述の課題を解決し、目的を達成するために、本考案の腕挿入型血圧計は、上腕を挿入するための腕帯部が設けられた筺体と、血圧測定可能な状態まで前記腕帯部に空気を導入して加圧する加圧手段と、前記加圧手段により前記腕帯部の内圧を制御した状態で血管情報を検出する検出手段と、前記検出手段により検出された血管情報から血圧値を決定する決定手段と、前記決定手段により決定された血圧値を表示する表示手段と、前記筐体に設けられた、血圧測定者が上腕を前記腕帯部に挿入したときに肘より先を置くための肘置きと、血圧測定時に血圧測定者の肘が前記肘置き上に置かれたことを検出する肘検出部と、前記肘検出部の検出結果を判定する判定手段と、制御部と、を備え、前記判定手段により血圧測定者の肘が前記肘置き上の適切な位置にあると判定されると、前記制御部により測定動作を開始させることを特徴とする。
【０００７】
また、好ましくは、前記肘検出部は腕の肘以外の部位が接触困難な位置にあることを特徴とする。
【０００８】
また、好ましくは、前記肘検出部は荷重検出装置であることを特徴とする。
【０００９】
また、好ましくは、前記肘検出部は皮膚の接触を検出するタッチセンサであることを特徴とする。
【００１０】
また、好ましくは、前記肘検出部は体温を検出する温度センサであることを特徴とする。
【００１１】
また、好ましくは、前記肘検出部は赤外線センサにより構成されることを特徴とする。
【考案の効果】
【００１２】
本考案によれば、腕帯部に上腕が正しい姿勢で挿入されると血圧測定動作を実行するので、精度の高い血圧測定ができる。
【考案を実施するための最良の形態】
【００１３】
以下に、本考案の実施の形態について、添付図面を参照して詳細に説明する。
尚、以下に説明する実施の形態は、本考案の実現手段としての一例であり、本考案は、その趣旨を逸脱しない範囲で下記実施形態を修正又は変形したものに適用可能である。
【００１４】
［装置の説明］
図１は、本考案に係る実施形態の腕挿入型血圧計であって、アームレストを開いた状態（ａ）と閉じた状態（ｂ）を示す正面斜視図、図２は、本考案に係る実施形態の腕挿入型血圧計であって、アームレストを開いた状態（ａ）と閉じた状態（ｂ）を示す背面斜視図である。
【００１５】
図１および図２に示すように、本実施形態として例示する血圧計１は、血圧測定時に上腕を圧迫する腕帯としての腕帯部２が、腕帯ユニット１０のハウジング３に内蔵された構造を有し、被測定者の上腕に腕帯部２を巻き付ける必要がなく、左右いずれの上腕でも血圧測定が可能な腕挿入型血圧計である。
【００１６】
ハウジング３には、腕帯ユニット１０の後述する制御部７１を遠隔操作可能な本体ユニット４０がハウジング３のアダプタソケット部５に対して着脱可能に設けられ、本体ユニット４０は腕帯ユニット１０を操作するための操作部４２や測定結果などを表示する表示部４３を有し、片手で操作できて、被測定者のポケットなどに収納できるような携帯可能なサイズとされる。
【００１７】
本体ユニット４０の表示部４３には、最高血圧値／最低血圧値、脈拍値（脈拍数）、測定日及び時刻、トレンドグラフ等がＬＣＤに表示される。なお、上記表示部４３には、測定開始後、正しい測定結果を得るための「深呼吸」や「リラックス」等のメッセージや、脈拍測定中であることを表すキャラクタが表示される。また、その他の表示例として、加圧動作、減圧（排気）動作、血圧測定動作等の表示がなされる場合もある。また、選択スイッチを設けて、複数の被測定者（使用者）の血圧値（最高血圧値／最低血圧値）やその測定時刻などをトレンド記憶／表示することもでき、１人の被測定者（使用者）のパーソナルユースとしても適用可能である。
【００１８】
上記ハウジング３には、被測定者の腕を差し込むための開口部４が設けられており、この開口部４の内周面には上腕への挿入孔を形成する可撓性の布袋やゴム袋からなる腕帯部２が設けられている。この開口部４の周囲は滑らかな曲面状に形成されており、被測定者が上腕を挿入しやすい形状となっている。また、ハウジング３の上面部３ａには、本体ユニット４０を着脱自在に収納するためのアダプタソケット部５やオン／オフスイッチなどの操作部６が設けられている。
【００１９】
上記操作部６，４２としては、例えば、電源のオン／オフスイッチや停止スイッチ、急排気スイッチ、記憶データの呼出／取消スイッチ、トレンドグラフ等の表示切換スイッチ、スクロールスイッチ、記憶禁止スイッチ等が含まれる。
【００２０】
上記ハウジング３の後端面３ｂ側にはアームレスト７が設けられている。このアームレスト７は、ハウジング３の後端面側の下端の軸支部３ｄに対して、挿入孔を閉塞する収納位置（図１（ｂ）および図２（ｂ）参照）と、挿入孔を開放して上腕の挿入を可能とする開放位置（図１（ａ）および図２（ａ）参照）との間で回動可能に支持されている。
【００２１】
ハウジング３の前端面３ｃは底面部から第１の角度θ１（例えば、７５°）で後方に傾斜し、後端面３ｂは底面部から第２の角度θ２（例えば、１１０°）で後方に傾斜している。また、アームレスト７は開放位置（使用時）において、設置面から第３の角度θ３（例えば、１５°）で上方に傾斜した姿勢となり、正しい部位での測定を促す機能を持っている。なお、アームレスト７をハウジング３に対して回動可能かつ取り外し可能に構成してもよい。
【００２２】
アームレスト７の軸支部７ｄとは反対側の自由端部には、指等を引っ掛けて被測定者によるアームレスト７の開閉操作を容易化する開口孔７ａが形成されている。また、アームレスト７における腕を受ける支持面（表面）には、その軸支部７ｄから自由端部に亘って凹曲面状の溝部７ｂが形成されており、上腕を正しい位置に案内する機能を持っている。さらに、この溝部７ｂには、アームレスト７が開放位置にある状態で、当該アームレスト７に被測定者の肘が所定の状態に置かれたことを検出する肘検出部が設けられている。この肘検出部は、荷重検出部、タッチセンサ、肘の体温を検出する温度センサ、肘の体温を検出する温度センサのうちから適宜選択して用いることができるが、本考案の実施形態では、肘検出部として荷重検出部を用いる場合について説明する。肘検出部としての荷重検出部７ｅの位置は、被測定者が腕帯部２に上腕を挿入した状態でアームレスト７に対して肘が置かれる肘位置（肘以外の部位が接触困難な位置）に対応し、この肘位置に所定荷重が印加されたことを検出する圧力センサなどを備える。
【００２３】
また、ハウジング３の後端面３ｂはアームレスト７の支持面に合致する形状を有し、アームレストの裏面７ｃは平滑な面を有しているので、アームレスト７は収納位置において形状的に突出した部分がなくハウジング３の外形と一体化する（図１（ｂ）参照）。アームレスト７は、軸支部７ｄにカム状部分を形成する等して開閉時に節度を持たせることによって、不使用時に収納位置から開放位置への倒れを防止し、収納位置を保持するように構成されている。これにより、不使用時にはコンパクトに収納できて省スペース化を図ることができる。
【００２４】
図３は、本考案に係る実施形態の腕挿入型血圧計のブロック図である。
【００２５】
図２に示すように、腕帯ユニット１０には、血圧測定開始時に腕帯部２にエアを供給するポンプ部２１、所定の圧力まで加圧された腕帯部２のエアを一定の速度で減圧していく減圧制御部２２、腕帯部２内部のエアを強制的に排気する強制排気部２３、被測定者の血流音を検知するマイク部２４、外部からマイク部２４に入る振動ノイズを検知するノイズセンシング部２５を備える。なお、マイク部２４は腕帯部２に内蔵されている。ノイズセンシング部２５はブザー板等の振動センサからなり、腕帯ユニット１０が置かれた測定台から伝わる振動やハウジング３に触れたときに入る振動等を振動ノイズとして検知する。
【００２６】
また、コロトコフ音法による血圧測定を行う場合、腕帯部２には、一対（２個）のマイク部２４が開口部４に対して互いに対向した位置（上腕の動脈に近い位置と遠い位置）に配置されている。そして、マイク部２４の一方に近い位置（上腕の動脈から遠い位置）のハウジング３に振動センサが配置され、マイク部２４は振動センサと同様の振動ノイズに反応することが判明している。このため、この一方のマイク部２４を振動センサとして兼用し、振動センサを廃止することもできる。
【００２７】
更に、腕帯ユニット１０は、上述した開始スイッチ１１、停止スイッチ１２、記憶禁止スイッチ１３のほか、腕帯ユニット電源部２６、ＡＣアダプタ部２７を備える。腕帯ユニット電源部２６は、複数本（４本）の単３形乾電池からなり、ＤＣ６Ｖの直流電源を構成する。ＡＣアダプタ部２７は、定格１００Ｖの交流電源を構成する。
【００２８】
また、腕帯ユニット１０には、制御部７１が搭載されている。そして、制御部７１には、腕帯部２内部の圧力を検出する圧力検出部７２、マイク部２４の検知信号を信号処理するフィルタアンプ部７３、ポンプ部２１を駆動するポンプ駆動部７４、減圧制御部２２の減圧弁を駆動する減圧弁駆動部７５、強制排気部２３の排気弁を駆動する排気弁駆動部７６、ノイズセンシング部２５の検知信号を信号処理するフィルタアンプ部７７、本体ユニット４０との有線通信または赤外線や電波（例えば、Bluetooth）などの無線通信を制御する通信部１４が接続されている。
【００２９】
圧力検出部７２は、腕帯部２の内圧を電気信号に変換、増幅した後、Ａ／Ｄ変換によりデジタル信号に変換して制御部７１に出力する。制御部７１に入力されたデジタル信号は順次圧力値に変換され、表示信号として本体ユニット４０に出力される。
【００３０】
フィルタアンプ部７３は、マイク部２４による検知信号を電気信号に変換、増幅した後、Ａ／Ｄ変換によりデジタル信号に変換して制御部７１に出力する。コロトコフ音法による血圧測定を行う場合、制御部７１は、制御部７１に入力されたデジタル信号からコロトコフ（Ｋ）音と、その発生ポイントと消滅ポイントを検出することにより、血圧値（最高血圧及び最低血圧）を算出し、表示信号として本体ユニット４０の表示部４３に出力表示する。圧脈波による場合は、公知の圧検出、脈波検出・演算により最高血圧及び最低血圧を算出し、本体ユニット４０に出力する。
【００３１】
また、制御部７１は、上記圧力値から得られる血管脈動（振動脈波）及び／又はＫ音の出現間隔から脈拍数を算出し、血圧値と共に表示信号として本体ユニット４０に出力する。
【００３２】
更に、制御部７１は、最高血圧値と最低血圧値との差から脈圧を算出し、上記表示切替スイッチ５８により脈圧表示操作がなされた際に、表示信号として本体ユニット４０に出力する。
【００３３】
フィルタアンプ部７７は、ノイズセンシング部２５の検知信号に対しノイズ成分のフィルタリングやフィルタリング後の信号成分を増幅して制御部７１に出力する。
【００３４】
ポンプ駆動部７４、減圧弁駆動部７５、排気弁駆動部７６は、それぞれ制御部７１からの制御信号に基づいてポンプ部２１、減圧制御部２２、強制排気部２３を駆動する。
【００３５】
一方、本体ユニット４０には、制御部３１が搭載されている。そして、制御部３１には、本体ユニット電源部３２、時計機能を有するクロック回路３３、血圧値や測定時刻データなどを記憶する不揮発性メモリ等からなるメモリ部３４、アラーム音を発生するブザー部３５、腕帯ユニット１０との有線通信または赤外線や電波（例えば、Bluetooth）などの無線通信を制御する通信部３６が接続されている。
【００３６】
また、制御部３１は、腕帯ユニット１０から得られた脈拍数や血圧値を表示部４３に出力する。
【００３７】
更に、制御部３１は、腕帯ユニット１０から得られた脈圧を、上記表示切替スイッチ４９により、脈圧表示操作がなされた際に表示部４３に出力する。
【００３８】
本体ユニット電源部３２は、複数個（２個）のリチウムボタン電池からなり、主にメモリ部３４のバックアップ電源として使用される。
【００３９】
メモリ部３４はユーザ切替スイッチ４７により設定されたユーザＡ，Ｂの各測定値を異なる領域に記憶する。また、メモリ部３４は、ユーザ切替スイッチ４７により設定されたユーザＡ，Ｂの各測定値を読み出して制御部３１に出力する。メモリ部３４は約７３０回分（１日２回（朝夕）の測定で約１年分の生データ、又は６０ヶ月分の月平均データ）の測定値が記憶できる容量を有する。
【００４０】
更に、制御部３１は、上記表示部４３、平均スイッチ４４、グラフ移動スイッチ４５、表示ＯＮスイッチ４６、ユーザ切替スイッチ４７、月表示スイッチ４８、表示切替スイッチ４９、リセットスイッチ５０、時間・アラーム設定切替スイッチ５１、アラームＯＮ／ＯＦＦスイッチ５２が接続されている。
【００４１】
制御部７１には、ＣＰＵ、ＲＯＭ、ＲＡＭ、インターフェース回路等が搭載されている。本実施形態では血圧測定方式としてリバロッチ・コロトコフ法が適用されるが、圧脈波（オシロメトリック法）等の他の測定方式も適用可能であり、この場合にはマイク部２４は不要である。
【００４２】
制御部７１は、ＲＯＭに記憶された血圧測定プログラムの手順に従って、上述した本体ユニット４０の各スイッチからの操作信号を入力する。そして、制御部７１は、センサ類２４，２５，７２からの検知信号に基づいてポンプ駆動部７４、減圧弁駆動部７５、排気弁駆動部７６に対し駆動信号を出力する。
【００４３】
また、制御部７１は、マイク部２４のＫ音信号から血圧や脈拍などの値を求め、これらの値を、本体ユニット４０に出力する。また、制御部７１は、ノイズセンシング部２５で検知された振動ノイズが所定値以上の場合、マイク部２４で検知されたＫ音信号をキャンセルし、振動ノイズの影響を除去している。
【００４４】
また、制御部７１は、後述するように腕帯部２に上腕が挿入されアームレスト７に肘が置かれて荷重検出部７ｅにより所定荷重が印加されたことが検出されると、血圧測定動作を開始する。
【００４５】
本体ユニット４０がハウジング３のアダプタソケット部５に収納された状態では、両ユニット１０，４０がコネクタにより電気的に接続されているので、腕帯ユニット１０の制御部７１は、ＲＯＭに記憶された血圧測定プログラムの手順に従って、腕帯ユニット１０や本体ユニット４０の操作部６，４２からの操作信号を通信部３６，１４を介して入力処理すると共に、センサ類７ｅ，２４，２５，７２からの検知信号を入力してポンプ部２１や減圧制御部２２、強制排気部２３の駆動信号を出力する一方、マイク部２４や圧力検出部７２の検知信号から血圧や脈拍などの測定値を決定し、これらの値を通信部１４，３６を介して本体ユニット４０に出力する。
【００４６】
本体ユニット４０をアダプタソケット部５から取り外した状態では、両ユニット１０，４０のコネクタによる有線接続が切断されるので、腕帯ユニット１０の制御部７１は、上記血圧測定プログラムの手順に従って、腕帯ユニット１０自身の操作部６からの操作信号や、本体ユニット４０の操作部４２から通信部３６，１４を介して無線（ワイヤレス）により入力した操作信号に基づき、センサ類７ｅ，２４，２５，７２からの検知信号を入力してポンプ部２１や減圧制御部２２、強制排気部２３の駆動信号を出力する一方、マイク部２４や圧力検出部７２の検知信号から血圧や脈拍などの測定値を決定し、これらの値を１４，３６を介して本体ユニット４０に出力する。
【００４７】
本体ユニット４０の制御部３１は、操作部４２による操作信号を腕帯ユニット１０に出力し、腕帯ユニット１０から受信した測定値をメモリ部３４に逐次記憶すると共に、表示信号に基づいて表示部４３を表示制御する。
【００４８】
［動作の説明］
図４は、本考案に係る実施形態の腕挿入型血圧計による血圧測定動作を示すフローチャートである。
【００４９】
なお、以下の各ステップは、制御部７１のＣＰＵ（演算処理部）がＲＯＭに記憶されたプログラムを実行することにより実現されるものである。
【００５０】
図４において、開始スイッチ１１が押下されると、初期設定を実行する（Ｓ１）。次に、表示部４３の点検（約１秒間全セグメントを点灯させる）を行う（Ｓ２）。
【００５１】
次に、腕帯部２に上腕が挿入されアームレストに肘が置かれて、肘検出部としての荷重検出部７ｅにより所定荷重が印加されたか判定手段で判定する（Ｓ３）。そして、所定荷重が検出された場合、被測定者の上腕が腕帯部２に対して適正な位置に挿入されたと判定してＳ５に進む。また、所定時間内に所定荷重が検出されない場合または荷重が検出されたが所定荷重に満たない場合、被測定者の上腕が腕帯部２に対して適正な位置にないと判定できるので、Ｓ４に進み、その旨の警告をブザー部３５および表示部４３を介して行う。
【００５２】
次に、腕帯部２に内圧が加わっていないことを確認し、この状態での圧力値をゼロに設定する（Ｓ５）。その後、表示部４３への圧力表示を開始する（Ｓ６）。
【００５３】
次に、強制排気部２３の排気弁を閉じ、ポンプ部２１を作動して加圧を開始する（Ｓ７）。次に、ポンプ部２１により腕帯部２を加圧し、腕帯部２の内圧が適正圧力値に達したならば（Ｓ８）、ポンプ部２１による加圧を停止する（Ｓ９）。次に、減圧制御部２２による減圧制御を開始し（Ｓ１０）、血圧測定動作を開始する（Ｓ１１）。また、減圧制御中に加圧不足と判定されたならば（Ｓ１２）、再加圧を行い（Ｓ１３）、減圧制御を再度開始する（Ｓ１０）。
【００５４】
Ｓ１４では、Ｋ音信号を検出し、最初のＫ音信号が検出された時点の圧力を最高血圧に設定する。更に、減圧を続け、Ｋ音信号が検出されなくなったら、最後のＫ音信号が検出された時点の圧力を最低血圧に設定する（Ｓ１５）。また、Ｓ１５では、上記血圧値から得られる血管脈動及び／又はＫ音の出現間隔から脈拍数を算出する。
【００５５】
最低血圧が設定されると強制排気部２３の排気弁を開け減圧制御を停止し（Ｓ１６）、血圧値と脈拍数を同時に表示する（Ｓ１７）。測定を続ける場合は、開始スイッチ１１を押し（Ｓ１８）、停止スイッチ１２が押されるか（Ｓ１９）、停止スイッチ１２が押されないまま所定時間（秒）γが経過した時点で電源をオフして本フローを終了する（Ｓ２０〜Ｓ２１）。
【００５６】
上記実施形態によれば、被測定者の上腕が腕帯部２の適正な位置に挿入されアームレスト７に肘が置かれて荷重検出部７ｅにより所定荷重が印加されたことが検出されると血圧測定動作を開始するので、精度の高い血圧測定ができる。
【００５７】
また、腕帯部２に上腕が正しい姿勢で挿入されたことを容易に確認でき、その後の血圧測定の開始操作が不要となるので、操作性が向上する。
【図面の簡単な説明】
【００５８】
【図１】本考案に係る実施形態の腕挿入型血圧計であって、アームレストを開いた状態（ａ）と閉じた状態（ｂ）を示す正面斜視図である。
【図２】本考案に係る実施形態の腕挿入型血圧計であって、アームレストを開いた状態（ａ）と閉じた状態（ｂ）を示す背面斜視図である。
【図３】本考案に係る実施形態の腕挿入型血圧計のブロック図である。
【図４】本実施形態の血圧計による血圧測定動作を示すフローチャートである。
【符号の説明】
【００５９】
１  腕挿入型血圧計
２  腕帯部
３  ハウジング
４  開口部
５  アダプタソケット部
６，４２  操作部
７  アームレスト
７ｅ  肘検出部
１０  腕帯ユニット
１１  開始スイッチ（ＳＷ）
１２  停止（緊急排気）スイッチ（ＳＷ）
１３  記憶禁止スイッチ（ＳＷ）
１４  通信部
２１  ポンプ部
２２  減圧制御部
２３  強制排気部
２４  マイク部
２５  ノイズセンシング部
２６  腕帯ユニット電源部
２７  ＡＣアダプタ部
３１  制御部
３２  本体ユニット電源部
３３  クロック回路
３４  メモリ部
３５  ブザー部
３６  通信部
４０  本体ユニット
４３  表示部
４４  平均スイッチ（ＳＷ）
４５  グラフ移動スイッチ（ＳＷ）
４６  表示ＯＮスイッチ（ＳＷ）
４７  ユーザ切替スイッチ
４８  月表示スイッチ（ＳＷ）
４９  表示切替スイッチ（ＳＷ）
５０  リセットスイッチ（ＳＷ）
５１  時間・アラーム設定切替スイッチ（ＳＷ）
５２  アラームＯＮ／ＯＦＦスイッチ（ＳＷ）
７１  制御部
７２  圧力検出部
７３  フィルタアンプ部
７４  ポンプ駆動部
７５  減圧弁駆動部
７６  排気弁駆動部
７７  フィルタアンプ部
【図１】
0003147041.tif 000003
【図２】
0003147041.tif 000004
【図３】
0003147041.tif 000005
【図４】
0003147041.tif 000006